(57)【要約】【課題】内容物の吐出時のきれを向上させて、内容物を定量的に精度良く吐出できるエアゾール容器用吐出機構を提供する。【解決手段】ステム２１から内容物を吐出させる吐出機構１０であって、ステム２１を囲んで配置される操作基部１１と、操作基部１１に取り付けられて、ステム２１を押圧する方向に進退可能に配置されると共に、吐出開口部１２ａを備える進退押圧部１２と、操作基部１１に回転可能に取り付けられた、進退押圧部１２に当接しながら回転する回転当接部１４及び回転操作部１５を備える回転部１３とを含んで構成される。回転当接部１４は、回転中心１４ａから周面までの距離が徐々に大きくなった周方向傾斜面部１４ｂを有しており、回転操作部１５の操作により回転して、周方向傾斜面部１４ｂに当接する進退押圧部１２を、ステム２１を押圧する方向に移動させることで押圧して、内容物を吐出させる。【選択図】図２
2018108838.tif 000002
【特許請求の範囲】
【請求項１】
エアゾール容器のステムから内容物を吐出させる操作を容易にするエアゾール容器用吐出機構であって、
マウンテンカップと接続させて前記ステムを囲んで配置される操作基部と、該操作基部に取り付けられて、前記ステムを押圧する方向に進退可能に配置されると共に、前記ステムの先端部を臨ませる吐出開口部を備える進退押圧部と、前記操作基部に回転可能に支持させて取り付けられた、前記進退押圧部に当接しながら回転する回転当接部、及び該回転当接部を回転させる回転操作部を備える回転部とを含んで構成されており、
前記回転当接部は、回転中心から周面までの距離が徐々に大きくなった周方向傾斜面部を有しており、前記回転操作部の操作により回転して、前記周方向傾斜面部に当接する前記進退押圧部を、前記ステムを押圧する方向に移動させることにより、前記ステムを前記進退押圧部によって押圧して、内容物を吐出させるエアゾール容器用吐出機構。
【請求項２】
前記進退押圧部は、前記操作基部に一端部を回転可能に支持させて取り付けられた第２種てこ部となっており、
該第２種てこ部は、他端部に前記回転当接部を当接させると共に、前記一端部と前記他端部との間の部分に前記吐出開口部が設けられており、
前記回転当接部は、前記回転操作部の操作により回転して、前記第２種てこ部を、前記一端部を中心とする周方向に回転させることにより、前記ステムを押圧する方向に移動させる請求項１記載のエアゾール容器用吐出機構。
【請求項３】
前記進退押圧部は、両側の端部を前記操作基部にスライド可能に支持させて取り付けられたスライド押圧部となっており、該スライド押圧部は、前記回転当接部を当接させると共に、前記両側の端部の間の部分に前記吐出開口部が設けられており、
前記回転当接部は、前記回転部の操作により回転して、前記スライド押圧部を、前記ステムを押圧する方向にスライド移動させる請求項１記載のエアゾール容器用吐出機構。
【請求項４】
前記回転当接部は、一方向に傾けた歯を周方向に複数備えるラチェット歯車を用いて形成されている請求項１〜３のいずれか１項記載のエアゾール容器用吐出機構。
【請求項５】
前記回転当接部は、回転中心から円周までの距離が一定でない円板カムを用いて形成されている請求項１〜３のいずれか１項記載のエアゾール容器用吐出機構。
【請求項６】
前記操作基部は、エアゾール容器を、前記マウンテンカップを下方に配置すると共に前記ステムを下面から下方に突出させた倒立状態で立設させる天井部と、該天井部から下方に延設して設けられて、前記ステムから吐出される内容物を受け取る受取り空間を、該天井部の下方に形成する支持脚部とを含んで構成されており、
前記進退押圧部は、前記支持脚部に支持させて、前記受取り空間の上部に配置されており、前記回転部は、前記支持脚部に回転可能に支持させて、前記回転当接部を前記受取り空間に配置すると共に、前記回転操作部を前記受取り空間の外側に配置して取り付けられており、
前記回転当接部は、前記回転操作部の操作により回転して、前記進退押圧部を上方に押し上げるようにして移動させることにより、前記ステムを前記進退押圧部によって押圧して、内容物を吐出させる請求項１〜５のいずれか１項記載のエアゾール容器用吐出機構。
【発明の詳細な説明】
【技術分野】
【０００１】
本発明は、エアゾール容器用吐出機構に関し、特に、エアゾール容器のステムから内容物を所定量ずつ吐出させる操作を容易にするエアゾール容器用吐出機構に関する。
【背景技術】
【０００２】
エアゾール容器は、高い内圧に耐えられるように、有底筒状の容器本体の上端開口に金属製のマウンテンカップを固着することによって形成されている。エアゾール容器は、マウンテンカップから突出するステムを、バルブ機構からの付勢力に抗して押し下げることで、マウンテンカップに内蔵されているバルブ機構を開放させて、内容物に溶け込んだ噴射剤や圧縮ガス、又は内容物に混合された噴射剤や圧縮ガスと共に、内容物をステムから霧状、泡状等の状態で吐出させることが可能である。また、エアゾール容器として、内容物を収容した内袋を、金属製の容器本体の内側に装着すると共に、内袋と容器本体との間に圧縮ガスや液化石油ガス等の噴射剤を充填し、これらの噴射剤の圧力により内袋を収縮させて、内容物を吐出させるタイプのものも知られている。
【０００３】
一方、エアゾール容器において内容物を吐出させる操作は、ステムに装着された、吐出流路を内部に備える押釦部やノズル部に、手や指で押圧力を加えて押し下げることによって行われている（例えば、特許文献１参照）。また、近年、エアゾール容器の美観の向上や、取扱い易さの向上等を目的として、マウンテンカップを覆う肩カバーを介してノズル部を取り付けたエアゾール容器が用いられているが（例えば、特許文献２参照）、このような肩カバーを用いたエアゾール容器においても、ノズル部に手や指で押圧力を加えることにより、内容物を吐出させるようになっている。
【先行技術文献】
【特許文献】
【０００４】
【特許文献１】実開平２−５３１５４号公報
【特許文献２】特開２００８−２４７４７０号公報
【発明の概要】
【発明が解決しようとする課題】
【０００５】
しかしながら、従来のエアゾール容器では、内容物を吐出させる操作は、上述のように押釦部やノズル部等に手や指で直接、押圧力を加えることによって行われていたため、例えば吐出された内容物の量を観察しながらの感覚的な操作となり易く、特に内容物の吐出を止める際の操作が曖昧になることで、内容物の吐出時のきれが悪く、所定量の内容物を精度良く吐出させることが困難になる。
【０００６】
本発明は、内容物の吐出時のきれを向上させて、所定量の内容物を精度良く吐出させることのできるエアゾール容器用吐出機構を提供することを目的とする。
【課題を解決するための手段】
【０００７】
本発明は、エアゾール容器のステムから内容物を吐出させる操作を容易にするエアゾール容器用吐出機構であって、マウンテンカップと接続させて前記ステムを囲んで配置される操作基部と、該操作基部に支持させて取り付けられて、前記ステムを押圧する方向に進退可能に配置されると共に、前記ステムの先端部を臨ませる吐出開口部を備える進退押圧部と、前記操作基部に回転可能に支持させて取り付けられた、前記進退押圧部に当接しながら回転する回転当接部、及び該回転当接部を回転させる回転操作部を備える回転部とを含んで構成されており、前記回転当接部は、回転中心から周面までの距離が徐々に大きくなった周方向傾斜面部を有しており、前記回転操作部の操作により回転して、前記周方向傾斜面部に当接する前記進退押圧部を、前記ステムを押圧する方向に移動させることにより、前記ステムを前記進退押圧部によって押圧して、内容物を吐出させるエアゾール容器用吐出機構を提供することにより、上記目的を達成したものである。
【発明の効果】
【０００８】
本発明のエアゾール容器用吐出機構によれば、内容物の吐出時のきれを向上させて、所定量の内容物を精度良く吐出させることができる。
【図面の簡単な説明】
【０００９】
【図１】本発明の好ましい第１実施形態に係るエアゾール容器用吐出機構を含む吐出ユニットにエアゾール容器を装着した状態を示す、吐出ユニットを斜め上方から見た部分透視斜視図である。
【図２】本発明の好ましい第１実施形態に係るエアゾール容器用吐出機構を含む吐出ユニットにエアゾール容器を装着した状態を示す、吐出ユニットを斜め下方から見た部分透視斜視図である。
【図３】図１及び図２のＡ−Ａに沿った要部断面図である。
【図４】（ａ）、（ｂ）は、回転ハンドル部の操作により内容物を吐出させる状況を説明する要部断面図である。
【図５】本発明の好ましい第２実施形態に係るエアゾール容器用吐出機構を含む吐出ユニットにエアゾール容器を装着した状態を示す、吐出ユニットを斜め上方から見た部分透視斜視図である。
【図６】本発明の好ましい第２実施形態に係るエアゾール容器用吐出機構を含む吐出ユニットにエアゾール容器を装着した状態を示す、吐出ユニットを斜め下方から見た部分透視斜視図である。
【発明を実施するための形態】
【００１０】
本発明の好ましい第１実施形態に係るエアゾール容器用吐出機構１０は、例えば図１〜図３に示すように、エアゾール容器２０を倒立させた状態で装着して、下端部に配置されたステム２１（図３参照）から下方に向けて、例えば歯磨剤等のペースト状の内容物や、粘性の高い液状もしくはゲル状の組成物を所定量ずつ吐出させることを容易にする、吐出ユニット３０を構成する吐出機構として用いられる。本第１実施形態のエアゾール容器用吐出機構１０は、押釦部やノズル部等を介して手や指でステム２１に直接押圧力を加えるのではなく、回転操作部１５を回転させる操作に伴わせて、間接的にステム２１に押圧力が加えられるようにして、特に押圧力を開放する際のステムの動きを安定させることで、内容物の吐出時のきれを向上させて、所定量の内容物を精度良く吐出できるようにする機能を備えている。また、一般的に噴射ガスを含有するエアゾール製品は、使用毎にガスが抜けることによって内容物を使い切ることが難しいという課題があり、この課題の解決手段の一つとしては、エアゾール容器を正立もしくは倒立させて使用することが挙げられる。本発明のエアゾール容器用吐出機構によれば、エアゾール容器を正立または倒立させて使用することにより噴射ガスのガス抜けを抑制し、安定してエアゾール製品を使い切ることができる。
【００１１】
そして、本第１実施形態のエアゾール容器用吐出機構１０は、エアゾール容器２０のステム２１から内容物を吐出させる操作を容易にする吐出機構であって、図１〜図３に示すように、マウンテンカップ２２と接続させてステム２１を囲んで配置される操作基部１１と、操作基部１１に支持させて取り付けられて、ステム２１を押圧する方向に進退可能に配置されると共に、ステム２１の先端部を臨ませる吐出開口部１２ａを備える進退押圧部１２と、操作基部１１に回転可能に支持させて取り付けられた、進退押圧部１２に当接しながら回転する回転当接部１４、及び回転当接部１４を回転させる回転操作部１５を備える回転部１３とを含んで構成されている。吐出開口部１２aは、ステム２１と同心円状に位置するように設けることが好ましい。また回転当接部１４は、回転中心１４ａから周面までの距離が徐々に大きくなった周方向傾斜面部１４ｂを有しており、回転操作部１５の操作により回転して、周方向傾斜面部１４ｂに当接する進退押圧部１２を、ステム２１を押圧する方向に移動させることにより、ステム２１を進退押圧部１２によって押圧して、内容物を吐出させるようになっている。
【００１２】
また、本第１実施形態では、進退押圧部１２は、操作基部１１に一端部１６ａを回転可能に支持させて取り付けられた第２種てこ部１６となっており、第２種てこ部１６は、他端部１６ｂに回転当接部１４を当接させると共に、一端部１６ａと他端部１６ｂとの間の部分に吐出開口部１２ａが設けられており、回転当接部１４は、回転操作部１５の操作により回転して、第２種てこ部１６を、一端部１６ａを中心とする周方向に回転させることにより、ステム２１を押圧する方向に移動させるようになっている。なお、本発明における進退押圧部は、第１種てこ部、第２種てこ部、第３種てこ部のいずれであっても良いが、内容物の吐出時のきれを向上させて、所定量の内容物を精度良く吐出させる観点、及び製造面の簡便さとコストの観点から、第２種てこ部とすることが好ましい。
【００１３】
さらに、本第１実施形態では、回転当接部１４は、一方向に傾けた歯１７ａを周方向に複数備えるラチェット歯車１７を用いて形成されている。
【００１４】
さらにまた、本第１実施形態では、操作基部１１は、エアゾール容器２０を、マウンテンカップ２２を下方に配置すると共にステム２１を下面から下方に突出させた倒立状態で立設させる天井部１１ａと、天井部１１ａから下方に延設して設けられて、ステム２１から吐出される内容物を受け取る受取り空間１１ｃを、天井部１１ａの下方に形成する支持脚部１１ｂとを含んで構成されている。進退押圧部１２は、支持脚部１１ｂに支持させて、受取り空間１１ｃの上部に配置されており、回転部１３は、支持脚部１１ｂに回転可能に支持させて、回転当接部１４を受取り空間１１ｃに配置すると共に、回転操作部１５を受取り空間１１ｃの外側に配置して取り付けられている。回転当接部１４は、回転操作部１５の操作により回転して、進退押圧部１２を上方に押し上げるようにして移動させることにより、ステム２１を進退押圧部１２によって押圧して（図４（ａ）参照）、内容物を所定量ずつ吐出させるようになっている。
【００１５】
本第１実施形態では、エアゾール容器２０は、有底円筒形状の縦長の金属製の容器本体２３と、容器本体２３の先端開口を閉塞して固着された、公知の金属製のマウンテンカップ２２とを含んで構成されており、内容物として、例えばペースト状の歯磨剤が、好ましくは内袋に充填された状態で、噴射剤と共に収容されている。噴射剤と共に容器本体２３に収容されている歯磨剤の原液の、２５℃における粘度は、噴射剤に二酸化炭素を用いた場合には、かかる原液をエアゾール容器から良好に噴射させる観点から、好ましくは５００〜２００００ｍＰａ・ｓであり、より好ましくは８００〜１００００ｍＰａ・ｓであり、さらに好ましくは１０００〜５０００ｍＰａ・ｓである。ここで、原液の粘度は、ＢＭ型粘度計（東機産業（株）製）（ローターＮｏ. １〜３、６〜６０ｒｐｍ、１分）にて測定することができる。
【００１６】
マウンテンカップ２２は、バルブ機構を内蔵する公知の部品である。マウンテンカップ２２は、外周縁部を巻き締めすることによって、容器本体２３の先端部に固着されている。これによって、容器本体２３の先端部のマウンテンカップ２２との接続部分には、環状縁部２２ａが形成される。マウンテンカップ２２は、環状縁部２２ａの内側中央部分において、エアゾール容器２０の端部から突出させたステム２１を、バルブ機構からの付勢力に抗して下方に押し下げることで、バルブ機構を開放させて、内容物である歯磨剤を、噴射剤の圧力によってステム２１から吐出させることができるようになっている。
【００１７】
ステム２１を囲んで配置される操作基部１１は、本第１実施形態では、上述のように、下方に配置されたマウンテンカップ２２と接続させて、エアゾール容器２０を倒立した立設状態で支持する天井部１１ａと、天井部１１ａの周縁部分から下方に延設して設けられた支持脚部１１ｂとを含んで形成された、中空の箱型形状を有している。天井部１１ａは、本実施形態では、矩形の平面形状を備える板状の部分として形成されている。天井部１１ａには、マウンテンカップ２２の環状縁部２２ａの内側中央部分において、エアゾール容器２０の端部から突出させたステム２１を、下面よりもさらに下方に突出させた状態で配置させる、切込み挿入凹部１１ｅが形成されている。切込み挿入凹部１１ｅは、天井部１１ａにおける、下方が開口面となった一辺部から、天井部１１ａの中央部に致る長さを備えるように切り込まれている。
【００１８】
支持脚部１１ｂは、矩形の平面形状を有する天井部１１ａに、これの三方の辺部から下方に延設する側板部１１ｄが一体として連続する形状を備えており、三方の側板部１１ｄの下端面を載置面に載置することによって、操作基部１１の天井部１１ａから倒立状態で立設するエアゾール容器２０を、安定した状態で支持できるようになっている。また支持脚部１１ｂは、天井部１１ａの下方に、エアゾール容器２０のステム２１から吐出される内容物として、例えば歯磨剤を歯ブラシの植毛部に受け取らせるための、受取り空間１１ｃを形成できるようになっている。すなわち、側板部１１ｄが設けられていない、天井部１１ａの残りの一辺部の下方は、開口面となっており、この開口面から、ステム２１の下方の受取り空間１１ｃに、歯ブラシの植毛部を差し込むことによって、歯磨剤を、歯ブラシの植毛部に吐出させることができるようになっている。後述するように、操作基部１１の支持脚部１１ｂに支持させて、進退押圧部１２を形成する第２種てこ部１６や、回転当接部１４及び回転操作部１５を備える回転部１３が設けられている。
【００１９】
また、本第１実施形態では、操作基部１１の天井部１１ａから上方に立設して、位置決め装着部２４が、天井部１１ａに一体として連続して設けられている。位置決め装着部２４は、エアゾール容器用吐出機構１０と共に、吐出ユニット３０を構成している。位置決め装着部２４は、半長円形状の断面形状を備えると共に、エアゾール容器２０の容器本体２３と同様の高さを有している。位置決め装着部２４は、上端部に天面板２４ａを備えていると共に、半長円形状の断面形状の奥部の円弧状部分は、容器本体２３の半円部分の外周面形状と同様の内周面形状を有しており、また半長円形状の断面形状の円弧状部分とは反対側の短辺部分は、開口面となっている。位置決め装着部２４の開口面は、操作基部１１の開口面と面一に配置されている。また位置決め装着部２４の開口面と操作基部１１の開口面との間に位置する、天井部１１ａの残りの一辺部から、天井部１１ａの中央部に向けて、エアゾール容器２０のステム２１を、天井部１１ａの下面よりもさらに下方に突出させた状態で配置させる、上述の切込み挿入凹部１１ｅが形成されている。
【００２０】
天井部１１aにおけるステム２１の突出方向の厚みをｔ、天井部１１aの上面からステム２１の先端部下面までの長さをＬ、本発明のエアゾール吐出機構を使用した際にステム２１を進退押圧部１２が押し上げる幅をΔＬとした場合に、内容物を安定して精度よく吐
出させる観点から、厚さtは５ｍｍ以下に設計することが好ましく、長さＬは６〜８ｍｍに設計することが好ましく、幅ΔＬは１〜３ｍｍに設計することが好ましい。また、上記
のｔ、Ｌ、ΔＬの関係は、以下の式（１）で表現される。
【００２１】
【数１】
2018108838.tif 000003
【００２２】
これらによって、本第１実施形態では、エアゾール容器２０を、ステム２１を切込み挿入凹部１１ｅに挿入しながら、開口面側から嵌め込むようにして、倒立状態で位置決め装着部２４に装着することが可能になると共に、装着されたエアゾール容器２０は、操作基部１１の天井部１１ａと位置決め装着部２４の天面板２４ａとの間に縦長の容器本体２３が挟み込まれた状態で、位置決め装着部２４によって位置決めされる。これによって、回転ハンドル部１５の操作により回転当接部１４を回転させて、進退押圧部１２を押し上げることによりステム２１を押圧する際の押圧力を、安定した状態で支持することが可能になる。
【００２３】
本第１実施形態では、ステム２１を押圧する方向に進退可能に配置される進退押圧部１２は、操作基部１１に一端部１６ａを回転可能に支持させて取り付けられた、第２種てこ部１６となっている。第２種てこ部１６は、本第１実施形態では、矩形の平面形状を備える板状の部材となっており、対向する一対の辺部うちの一方の辺部を一端部１６ａとして、当該一端部１６ａを、操作基部１１の開口面を挟んだ両側の側板部１１ｄの上端部分に、回転可能にピン結合することによって取り付けられている。また、第２種てこ部１６は、これの中央部分に、操作基部１１の天井部１１ａの下面から突出するステム２１の先端部を臨ませる、吐出開口部１２ａが設けられている。
【００２４】
第２種てこ部１６は、操作基部１１の両側の側板部１１ｄの上端部分にピン結合される一方の辺部を、操作基部１１の開口面とは反対側の受取り空間１１ｃの奥部に配置すると共に、中央部分の吐出開口部１２ａの開口周縁部にステム２１の開口周縁部を係止させ、且つ矩形の平面形状の対向する一対の辺部うちの他方の辺部を他端部１６ｂとして、受取り空間１１ｃの開口面側に配置した状態で、操作基部１１に取り付けられている。第２種てこ部１６は、回転部１３の回転操作部１５の操作によって、一端部１６ａを中心とする周方向に回転することにより、吐出開口部１２ａが設けられた中央部分を、ステム２１を押圧する方向に移動させることができるようになっている。
【００２５】
進退押圧部１２である第２種てこ部１６を、ステム２１を押圧する方向に移動させる回転部１３は、第２種てこ部１６の他端部１６ｂに当接しながら回転する回転当接部１４と、回転当接部１４を回転させる回転操作部１５とを備えており、操作基部１１の側板部１１ｄに支持させて、回転可能に取り付けられている。回転部１３は、回転軸部材１３ａの一端側に回転当接部１４を、他端側に回転操作部１５を一体として固定した構成を備えている。回転部１３は、操作基部１１の開口面を挟んだ両側の一対の側板部１１ｄのうちの一方において、開口面側の上部角部分に貫通して設けられた回転軸穴に、回転軸部材１３ａを回転可能に挿通させると共に、回転当接部１４を受取り空間１１ｃの内部に配置し、回転操作部１５を受取り空間１１ｃの外側に配置した状態で取り付けられている。
【００２６】
これによって、回転当接部１４は、操作基部１１の受取り空間１１ｃにおいて、回転部１３が取り付けられた一方の側板部１１ｄ側の上部角部分に配置されて、第２種てこ部１６の他端部１６ｂに、下方から当接した状態で取り付けられると共に、操作基部１１の外側に配置された回転操作部１５による、例えば当該回転操作部１５における操作基部１１の開口面側の部分を上方から下方に向けて回転させる回転方向Ｘへの回転操作によって、第２種てこ部１６の吐出開口部１２ａが設けられた中央部分を、ステム２１を押圧する方向に移動させることができるようになっている。
【００２７】
すなわち、本第１実施形態では、回転当接部１４は、好ましくは一方向に傾けた歯１７ａを周方向に複数（本実施形態では６箇所）備えるラチェット歯車１７を用いて形成されており、各々の歯１７ａの外周面が、例えば回転操作部１５の回転方向Ｘとは反対の方向に向けて、回転中心１４ａから周面までの距離が徐々に大きくなった、周方向傾斜面部１４ｂとなっている。これによって、回転操作部１５を回転方向Ｘへ回転させることによる、回転当接部１４の回転に伴って、回転当接部１４と当接する進退押圧部１２である第２種てこ部１６の他端部１６ｂを、図４（ａ）に示すように、歯１７ａの外周面の周方向傾斜面部１４ｂに沿って高い方に乗り上げさせることにより、第２種てこ部１６の吐出開口部１２ａが設けられた中央部分を、ステム２１を押圧する方向に移動させることができるようになっている。これによって、第２種てこ部１６の吐出開口部１２ａの開口周縁部に係止されたステム２１を上方に押し上げることで、ステム２１及び吐出開口部１２ａを介して、エアゾール容器２０から受取り空間１１ｃに内容物を吐出させることができるようになっている。
【００２８】
一方、回転操作部１５を回転方向Ｘへさらに回転させて、第２種てこ部１６の他端部１６ｂが、歯１７ａの外周面の周方向傾斜面部１４ｂの頂部を超えるまで回転当接部１４が回転すると、図４（ｂ）に示すように、第２種てこ部１６の他端部１６ｂは、吐出開口部１２ａの開口周縁部と係止するステム２１からの付勢力によって、下方に押し出されることで、歯１７ａの回転方向Ｘの背面側の段差部に瞬時に落下する。これによって、ステム２１を、第２種てこ部１６によって押圧される前の状態に、きれよく復帰させることが可能になる。またこれによって、本実施形態のエアゾール容器用吐出機構１０によれば、内容物の吐出時のきれを向上させて、所定量の内容物を定量的に精度良く吐出させることが可能になる。段差部の側面は、回転部１３の中心、周方向傾斜面部１４ｂの起端部、周方向傾斜面部１４ｂの頂部の３点を通るようにひかれた直線に対し、沿うように設けられていることが好ましい。言い換えると、段差部の側面、回転部１３の中心、周方向傾斜面部１４ｂの起端部、周方向傾斜面部１４ｂの頂部は全て同一直線上に位置することが好ましい。
【００２９】
先行する歯１７ａの周方向傾斜面部１４ｂの頂部を超えるまで回転当接部１４を回転させたら、回転操作部１５を回転方向Ｘへさらに回転させることで、第２種てこ部１６の他端部１６ｂは、次の歯１７ａの外周面の周方向傾斜面部１４ｂに沿って高い方に乗り上げて行くので、第２種てこ部１６の中央部分を、再びステム２１を押圧する方向に移動させて、同様に所定量の内容物をステム２１から吐出させることが可能になる。また、次の歯１７ａの周方向傾斜面部１４ｂの頂部を超えるまで回転当接部１４を回転させることで、同様にステム２１を、第２種てこ部１６によって押圧される前の状態に、きれよく復帰させることが可能になる。周方向傾斜面部１４ｂの頂部と、周方向傾斜面部１４ｂの起端部との間の幅は、１〜５ｍｍの長さに設計することが好ましく、２〜４ｍｍの長さに設計することがより好ましい。
【００３０】
ここで、本第１実施形態では、回転当接部１４は、一方向に傾けた歯１７ａを周方向に複数備えるラチェット歯車１７を用いて形成されているので、好ましくは角形断面形状を備えるように形成された第２種てこ部１６の他端部１６ｂの先端が、歯１７ａの回転方向Ｘの後方側の段差部に係止されることで、回転部１３の回転操作部１５が回転方向Ｘとは反対側に回転するように操作されることになるのを、効果的に回避することが可能になる。
【００３１】
図５及び図６は、本発明の好ましい第２実施形態に係るエアゾール容器用吐出機構５０を例示するものである。本第２実施形態のエアゾール容器用吐出機構５０は、進退押圧部１２の形態が、上記第１実施形態のエアゾール容器用吐出機構５０のものと相違しており、また回転部１３の形態が、上記第１実施形態のエアゾール容器用吐出機構５０のものと相違している。本第２実施形態のエアゾール容器用吐出機構５０では、上記第１実施形態のエアゾール容器用吐出機構１０と異なる構成部分について主として説明し、同様の構成部分については同一の符号を付して説明を省略する。特に言及しない構成部分については、上記第１実施形態のエアゾール容器用吐出機構１０に関する説明が適宜適用される。
【００３２】
そして、本第２実施形態に係るエアゾール容器用吐出機構５０では、進退押圧部１２は、両側の端部５１ｂを操作基部１１にスライド可能に支持させて取り付けられた、スライド押圧部５１となっており、スライド押圧部５１は、下端部に回転当接部５２を当接させると共に、両側の端部５１ｂの間の部分に吐出開口部５１ａが設けられており、回転当接部５２は、回転操作部５３の操作により回転して、スライド押圧部５１を、ステム２１を押圧する方向にスライド移動させるようになっている。
【００３３】
また、本第２実施形態では、スライド押圧部５１の下端部において回転当接部５２を当接させる部分に、回転当接部５２の回転に伴って回転可能な回転ローラ５４が取り付けられており、回転当接部５２は、回転ローラ５４を介してスライド押圧部５１に当接している。さらに、本第２実施形態では、回転当接部５２は、回転中心から円周までの距離が一定でない円板カム５５を用いて形成されている。
【００３４】
本第２実施形態では、進退押圧部１２を構成するスライド押圧部５１は、略横長矩形状の正面形状を備えるスライド板部５１ｃと、スライド板部５１ｃの上端部から操作基部１１の開口面側に張り出して設けられた、張り出し板部５１ｄとを含んで構成されている。張り出し板部５１ｄの中央部分には、略横長矩形状のスライド板部５１ｃの両側の端部である短辺部の間の部分に配置されて、吐出開口部５１ａが設けられている。吐出開口部５１ａには、これの開口周縁部にステム２１の開口周縁部を係止させて、ステム２１が配置されるようになっている。スライド板部５１ｃの両側の端部である短辺部の下半部分から、操作基部１１の両側の側板部１１ｄ側に突出して、端部スライド突起５１ｅが設けられている。
【００３５】
本第２実施形態では、操作基部１１の、開口面を挟んで対向配置された一対の側板部１１ｄの上部には、縦方向に延設して、スライドガイド開口５６が各々形成されている。これらのスライドガイド開口５６に、スライド板部５１ｃの両側の端部スライド突起５１ｅを、上下にスライド可能に各々係止して案内させることにより、回転部１３の回転操作部５３の操作によって、回転当接部５２に当接するスライド押圧部５１を、ステム２１を押圧する方向である上方に移動させることで、ステム２１をスライド押圧部５１により押圧して、内容物を吐出させることができるようになっている。スライド板部５１ｃの下端部における、回転部１３が取り付けられた一方の側板部１１ｄ側に配置されて、回転ローラ５４が、一対の回転軸受けリブ５１ｆに支持された状態で、これらのリブ５１ｆの間に回転可能に設けられている。回転ローラ５４には、回転部１３の回転当接部５２が当接している。
【００３６】
本第２実施形態では、回転部１３は、回転ローラ５４に当接しながら回転する回転当接部５２と、回転当接部５２を回転させる回転操作部５３とを備えており、操作基部１１の側板部１１ｄに支持させて、回転可能に取り付けられている。回転部１３は、回転軸部材１３ａの一端側に回転当接部５２を、他端側に回転操作部５３を一体として固定した構成を備えている。回転部１３は、側板部１１ｄに貫通して設けられた回転軸穴に、回転軸部材１３ａを回転可能に挿通させると共に、回転当接部５２を受取り空間１１ｃの内部に配置し、回転操作部５３を受取り空間１１ｃの外側に配置した状態で取り付けられている。回転当接部５２は、回転中心から円周までの距離が一定でない円板カム５５を用いて形成されていることで、回転中心から周面までの距離が徐々に大きくなった周方向傾斜面部５２ａを有している。
【００３７】
本第２実施形態のエアゾール容器用吐出機構５０によっても、回転操作部５３を回転させることによる回転当接部５２の回転に伴って、円板カム５５による回転当接部５２と回転ローラ５４を介して当接する、進退押圧部１２であるスライド押圧部５１を、円板カム５５の外周面の周方向傾斜面部５２ａに沿って高い方に乗り上げさせることにより、スライド押圧部５１を、ステム２１を押圧する方向に移動させ、吐出開口部５１ａの開口周縁部に係止されたステム２１を上方に押し上げることで、ステム２１及び吐出開口部５１ａを介して、エアゾール容器２０から受取り空間１１ｃに内容物を吐出させることが可能になる。回転操作部５３を同一回転方向へさらに回転させて、回転ローラ５４が、円板カム５５の外周面の周方向傾斜面部５２ａの頂部を超えるまで回転当接部５３が回転すると、スライド押圧部５１は、吐出開口部５１ａの開口周縁部と係止するステム２１からの付勢力によって、瞬時に下方に押し出される。円板カム５５は、形が非対称な輪郭を持つ板状のカムであり、短径と長径を有し、きのこ形状カム、なみだ目形状カムであることが好ましく、なみだ目形状カムであることがより好ましい。また、回転ローラ５４が、円板カム５５の外周面の周方向傾斜面部５２ａの頂部を超えた際に、回転当接部５２が回転方向の背面側に瞬時に落下するように、周方向傾斜面部５２ａに段差部を設けることがさらに好ましい。これらによって、ステム２１を、第２種てこ部１６により押圧される前の状態に、きれよく復帰させることが可能になる。またこれによって、上記の第１実施形態のエアゾール容器用吐出機構１０と同様に、内容物の吐出時のきれを向上させて、所定量の内容物を精度良く吐出させることが可能になる。
【００３８】
なお、本発明は上記実施形態に限定されることなく種々の変更が可能である。例えば、マウンテンカップと接続させてステムを囲んで配置される操作基部は、エアゾール容器を倒立状態で立設させる天井部と、天井部から下方に延設して設けられて、ステムから吐出される内容物を受け取る受取り空間を天井部の下方に形成する支持脚部とを含んで構成されるものである必要は必ずしも無く、回転操作部による回転部の回転操作を、エアゾール容器を手で把持したまま行えるように、ステムの周囲に回転部を配置させるものであっても良い。
【符号の説明】
【００３９】
１０  エアゾール容器用吐出機構
１１  操作基部
１１ａ  天井部
１１ｂ  支持脚部
１１ｃ  受取り空間
１１ｄ  側板部
１１ｅ  切込み挿入凹部
１２  進退押圧部
１２ａ  吐出開口部
１３  回転部
１３ａ  １４  回転当接部
１４ａ  回転中心
１４ｂ  周方向傾斜面部
１５  回転操作部
１６  第２種てこ部
１６ａ  一端部
１６ｂ  他端部
１７  ラチェット歯車
１７ａ  歯
２０  エアゾール容器
２１  ステム
２２  マウンテンカップ
２２ａ  環状縁部
２３  容器本体
２４  位置決め装着部
２４ａ  天面板
３０  吐出ユニット
５０  エアゾール容器用吐出機構
５１  スライド押圧部
５１ａ  吐出開口部
５１ｂ  端部
５２  回転当接部
５３  回転ハンドル部
５４  回転ローラ
５５  円板カム
Ｘ    回転ハンドル部の回転方向
【図１】
2018108838.tif 000004
【図２】
2018108838.tif 000005
【図３】
2018108838.tif 000006
【図４】
2018108838.tif 000007
【図５】
2018108838.tif 000008
【図６】
2018108838.tif 000009